(57)【特許請求の範囲】
【請求項１】
ランプホルダーとスイッチ用ケースを一体に設け、前記ランプホルダーにはランプとランプケースを着脱可能に取り付ると共に、前記スイッチ用ケース内にマイクロスイッチを取り付け、前記ランプケースには押釦部材を上下方向へ摺動附勢させて設けて成り、前記ランプの点灯表示を行わせた上で前記押釦部材で前記マイクロスイッチのＯＮ、ＯＦＦ操作を行うように構成したものにおいて、前記マイクロスイッチを前記スイッチ用ケース内に突設した取付ピンを介して前記スイッチ用ケースに固定させ、このマイクロスイッチの可動接点部を、前記スイッチ用ケースに設けた挿通孔を介して、該スイッチ用ケース内部へ挿入させた前記押釦部材の脚部で、ＯＮ、ＯＦＦさせるように構成すると共に、前記スイッチ用ケース内に前記ランプホルダーと前記マイクロスイッチから導出させた各端子を接続させる回路基板を同じく前記取付ピンを介して前記マイクロスイッチと重ね合わせて取り付け、この回路基板に１個所にまとめて前記ランプと前記マイクロスイッチへの外部からの接続用コネクターを設け、この外部接続用コネクターを前記スイッチ用ケースに設けた外部コネクター挿入用窓部に臨ませたことを特徴とする、照光式押釦スイッチ。
【請求項２】
前記ランプホルダーへ前記ランプケースを着脱可能に取り付けるに当り、ランプホルダーのランプ取付筒部の外周に係止用突起を突設すると共に、前記ランプ取付筒部に取り付けられるランプケースの下端部側内側にそれ自身或はランプホルダーを相対的に回転させることによって、前記係止用突起と係合する係合突片を設けたことを特徴とする、請求項１に記載の照光式押釦スイッチ。
【請求項３】
前記ランプホルダーへ前記ランプケースを着脱可能に取り付けるに当り、ランプホルダーのランプ取付筒部の外周に係止用突起を突設すると共に、前記ランプ取付筒部に取り付けられるランプケースの下端部側内側にそれ自身或はランプホルダーを相対的に回転させることによって、前記係止用突起と係合する係合突片を設けたことを特徴とする、請求項１に記載の照光式押釦スイッチ。
【発明の詳細な説明】
【０００１】
【発明の属する技術分野】
この発明は、とくにテレビゲーム機の操作盤へ取り付けて用いる照光式押釦スイッチに関する。
【０００２】
【従来の技術】
従来、図１２と図１３に示したように、ランプホルダー１の下端部に取付部材１ａ，１ａを介してマイクロスイッチ２を取り付け、ランプ用端子３，３とマイクロスイッチ用端子４，４を個々に外部へ突出させたとくにテレビゲーム機の操作盤に用いる照光式押釦スイッチが公知である。この従来公知のものはまた、ランプホルダー１へランプケース５を取り付けるに当たっては、当該ランプホルダー１の下端部に係止用鍔部１ｂを設け、この係止用鍔部１ｂへランプケース５の下端部内側に設けた係止用周溝５ａを圧入嵌合させていた。
【０００３】
【発明が解決しようとする課題】
上述した従来公知の照光式押釦スイッチは、実際の使用に当たってこれを操作盤へ組み付けた際に、各端子３，３・４，４へランプ点灯用コネクター６，６とマイクロスイッチ用コネクター７，７を一つ一つ接続しなくてはならず、組立て作業が煩雑であるという問題があった。
【０００４】
また、従来公知の照光式押釦スイッチは、ランプケース５とランプホルダー１との間の取り付けが、係止用鍔部１ｂと係止用周溝５ａの軸方向からの圧入による嵌合取り付けであったため、ゲーム中に押釦部材８を何回も何回も押圧する際の衝撃（それは主として押釦部材８を押圧する際に、該押釦部材８と共に軸方向へ移動してマイクロスイッチ２の可動接点部２ａを押圧するスイッチ押圧片８ａの押圧作用によるが）によって、ランプケース５がランプホルダー１より外れてしまうという問題もあった。
【０００５】
この発明の目的は、操作盤からの各コネクターの各端子への接続をワンタッチで行なうことができる、照光式押釦スイッチを提供せんとするにある。
【０００６】
【課題を解決するための手段】
上述した目的を達成するためにこの発明は、ランプホルダーとスイッチ用ケースを一体に設け、前記ランプホルダーにはランプとランプケースを着脱可能に取り付ると共に、前記スイッチ用ケース内にマイクロスイッチを取り付け、前記ランプケースには押釦部材を上下方向へ摺動附勢させて設けて成り、前記ランプの点灯表示を行わせた上で前記押釦部材で前記マイクロスイッチのＯＮ、ＯＦＦ操作を行うように構成したものにおいて、前記マイクロスイッチを前記スイッチ用ケース内に突設した取付ピンを介して前記スイッチ用ケースに固定させ、このマイクロスイッチの可動接点部を、前記スイッチ用ケースに設けた挿通孔を介して、該スイッチ用ケース内部へ挿入させた前記押釦部材の脚部で、ＯＮ、ＯＦＦさせるように構成すると共に、前記スイッチ用ケース内に前記ランプホルダーと前記マイクロスイッチから導出させた各端子を接続させる回路基板を同じく前記取付ピンを介して前記マイクロスイッチと重ね合わせて取り付け、この回路基板に１個所にまとめて前記ランプと前記マイクロスイッチへの外部からの接続用コネクターを設け、この外部接続用コネクターを前記スイッチ用ケースに設けた外部コネクター挿入用窓部に臨ませたことを特徴とする。
【０００７】
その際にこの発明は、前記ランプホルダーへ前記ランプケースを着脱可能に取り付けるに当り、ランプホルダーのランプ取付筒部の外周に係止用突起を突設すると共に、前記ランプ取付筒部に取り付けられるランプケースの下端部側内側にそれ自身或はランプホルダーを相対的に回転させることによって、前記係止用突起と係合する係合突片を設けたことを特徴とする。
【０００８】
さらにこの発明は、前記ランプホルダーへ前記ランプケースを着脱可能に取り付けるに当り、ランプホルダーのランプ取付筒部の外周に係止用突起を突設すると共に、前記ランプ取付筒部に取り付けられるランプケースの下端部側内側にそれ自身或はランプホルダーを相対的に回転させることによって、前記係止用突起と係合する係合突片を設けたことを特徴とする。
【０００９】
【発明の実施の形態】
以下にこの発明の一実施の形態を説明する。図１乃至図５において、指示記号１０はランプホルダーであり、このランプホルダー１０の下部には着脱可能な蓋体１１を有するスイッチ用ケース１２が一体に設けられている。このスイッチ用ケース１２内には後述するマイクロスイッチを取り付けた回路基板１３が収装されている。
【００１０】
図５はスイッチ用ケース１２内部の分解斜視図を示し、マイクロスイッチ１４は、その取付孔１４ａ，１４ａにスイッチ用ケース１２の底板１２ａより突設した取付ピン１２ｂ，１２ｂを貫通させてスイッチ用ケース１２内に収装させており、収装完了時に取付ピン１２ｂ，１２ｂをマイクロスイッチ１４の表面側へ突出させ、この突出した部分に回路基板１３に設けた位置決め孔１３ａ，１３ａを挿入させて、図２に示したように回路基板１３を位置決めさせている。
【００１１】
図５に示したように、マイクロスイッチ１４からは、マイクロスイッチ用端子１５，１５が突設され、その一端部を直角方向へ折り曲げて接続突片１５ａ，１５ａが設けられている。
【００１２】
ランプホルダー１０の底部からは、一対のランプ用端子１６，１６がスイッチ用ケース１２内へ突出しており、その一端部を直角方向へ折り曲げてマイクロスイッチ用端子１５，１５の接続突片１５ａ，１５ａと同じ方向へ接続突片１６ａ，１６ａが設けられている。
【００１３】
回路基板１３にはその位置決め孔１３ａ，１３ａへ取付ピン１２ｂ，１２ｂを挿入させて位置決めした位置で、マイクロスイッチ用端子１５，１５の接続突片１５ａ，１５ａと、ランプ用端子１６，１６の接続突片１６ａ，１６ａを受け入れるスルーホール１３ｂ，１３ｂ・１３ｃ，１３ｃが設けられており、このスルーホール１３ｂ，１３ｂ・１３ｃ，１３ｃへ各接続突片１５ａ，１５ａ・１６ａ，１６ａを嵌入させた上で、半田付けさせて溶着させるものであり、この状態を示したものが図２である。その後で、蓋体１１がスイッチ用ケース１２へ取り付けられる。回路基板１３の一側端には、外部接続用コネクター１７が取り付けられ、この外部接続用コネクター１７に取り付けた各端子１７ａはスイッチ用ケース１２に設けた外部コネクター挿入窓部１２ｃ内より外部に望んでいる。指示記号１８は外部接続用コネクター１７へ接続される外部コネクターであり、この外部コネクター１８より束ねて導出した各リード線１９ａ，１９ａ，１９ｂ，１９ｂは図示していないテレビゲーム機本体或は制御部に接続されている。ちなみに、リード線１９ａ，１９ａはランプ用のものであり、１９ｂ，１９ｂはマイクロスイッチ用である。
【００１４】
回路基板１３に設けた各スルーホール１３ｂ，１３ｂ・１３ｃ，１３ｃと、外部接続用コネクター１７の各端子１７ａ…とは、プリント配線２０ａ、２０ａ、２０ｂ、２０ｂで接続されており、このことより、ランプ用端子１６，１６とマイクロスイッチ用端子１５，１５は、外部コネクター１８の部分で一個所にまとめられる結果となっている。尚、蓋体１１には３本の係止片１１ａ…が突設され、スイッチ用ケース１２に設けた各係止部１２ｄと係合するように構成されている。
【００１５】
次に、ランプホルダー１０のスイッチ用ケース１２側には、係止用鍔部１０ａが突設され、この係止用鍔部１０ａに下端部内側に設けた係合用周溝２１ａを係合させて、ランプケース２１が取り付けられている。ランプケース２１内には光透過性材質のもので作った押釦部材２２が上下動可能に挿入されており、この押釦部材２２とランプホルダー１０との間には、コンプレッションスプリング２３が弾設されている。押釦部材２２からは一対のスイッチ押圧片２２ａ，２２ａが突設され、このスイッチ押圧片２２ａ，２２ａの一方のものは、スイッチ用ケース１２に設けた挿通孔１２ｅを介して該スイッチ用ケース１２内へ挿入される構成であり、その先端をマイクロスイッチ１４の可動接点部１４ｂと対向している。
【００１６】
次に、図６乃至図８に示したものは、ランプケースをランプホルダーへ取り付ける場合の他の実施の形態を示し、図面によれば、ランプホルダー３０の下端部側には、外方向へ突出して係止用突起３１，３１が１８０°間隔で突設されており、この係止用突起３１，３１をランプケース３２の下端部内側へ突設した係合突片３３，３３…で係止する構成となっている。
【００１７】
このランプケース３２をランプホルダー３０へ取り付ける際には、ランプケース３２の係合突片３３，３３を設けてない部分より係止用突起３１，３１を受け入れ、ランプケース３２をランプホルダー３０に対して回転させることにより、係止用突起３１，３１と係合突片３３，３３とが係合して、ランプケース３２がランプホルダー３０へ取り付けられる構成となっている。
【００１８】
係止用突起３１，３１と係合突片３３，３３との間の係合を確固たるものにするために、係合突片３３，３３に係合凹部３３ａ，３３ａを設けてある。図示してない押釦部材に設けたスイッチ押圧片は、係止用突起３１，３１と係合突片３３，３３が係合して係合凹部３３ａ，３３ａへ係止用突起３１，３１が落ち込んだ位置で、マイクロスイッチの可動接点と対向する位置にくるように予め係止用突起３１，３１と係合突片３３，３３の係合凹部３３ａ，３３ａの位置が位置決めされている。
【００１９】
尚、この実施の形態において、ランプホルダー３０に設けた係止用突起３１，３１とランプケース３２に設けた係合突片３３，３３の組み合わせは、図９と図１０に示した従来公知の照光式押釦スイッチにも適用できるものである。係止用突起３１，３１と係合突片３３，３３は、係止用突起３１，３１をランプケース３２の側に設け、係合突片３３，３３をランプホルダー３０の側に設けても良い。さらに、係合凹部３３ａ，３３ａに代えてストッパーとしても良い。この場合には係合突片３３，３３に傾斜をつけることが望ましい。この傾斜は係合凹部を設ける場合に適用しても良い。
【００２０】
図９は、この発明に係る照光式押釦スイッチのさらに他の実施の形態を示し、図面によれば、ランプホルダー４０とマイクロスイッチ４１が一体に成形されており、マイクロスイッチ４１に設けた外部接続用コネクター４２の各端子４２ａ，４２ｂ，４２ｃ，４２ｄへランプ用端子４０ａ，４０ｂとマイクロスイッチ用端子４１ａ，４１ｂが接続されている。そして、指示記号４３は可動接点部であり、指示記号４４は外部コネクターである。尚、この実施の形態の場合には、ランプ用端子はマイクロスイッチの部分の外側を通って外部接続用コネクターへ接続させても良い。この場合にはランプ用端子を延長させる場合と、リード線を用いる場合がある。
【００２１】
図１０は、この発明に係る照光式押釦スイッチのさらに他の実施の形態を示し、図面によれば、ランプホルダー４５と一体にスイッチ用ケース４６が設けられ、このスイッチ用ケース４６内にマイクロスイッチ４７が収装されると共に、スイッチ用ケース４６に外部接続用コネクター４８が設けられ、この外部接続用コネクター４８の各端子４８ａ，４８ｂ，４８ｃ，４８ｄにランプ用端子４５ａ，４５ｂとマイクロスイッチ用端子４７ａ，４７ｂが接続されている。この実施の形態の場合にも、ランプ用端子４５ａ，４５ｂ及びマイクロスイッチ用端子４７ａ，４７ｂと外部接続用コネクター４８の各端子４８ａ，４８ｂ，４８ｃ，４８ｄの全部或は一部は、ランプ用端子４５ａ，４５ｂ及びマイクロスイッチ用端子４７ａ，４７ｂを延長させたものか、或はリード線で接続される。尚、指示記号４９は外部コネクターである。
【００２２】
図１１は、この発明に係る照光式押釦スイッチのさらに他の実施の形態を示し、図面によれば、ランプホルダー５０に外部接続用コネクター５１が設けられており、この外部接続用コネクター５１の各端子５１ａ，５１ｂ，５１ｃ，５１ｄへランプ用端子５０ａ，５０ｂとマイクロスイッチ５２のマイクロスイッチ用端子５２ａ，５２ｂが接続されている。この場合には、ランプホルダーとマイクロスイッチを一体に成形したもの、ランプホルダーとスイッチ用ケースを一体に成形したものが用いられる。外部接続用コネクター５１の各端子５１ａ，５１ｂ，５１ｃ，５１ｄへランプ用端子５０ａ，５０ｂとマイクロスイッチ用端子５２ａ，５２ｂを接続させるに当り、ランプ用端子５０ａ，５０ｂとマイクロスイッチ用端子５２ａ，５２ｂを延長させても良いし、別にリード線を用いることができる。尚、指示記号５３のものは外部コネクターである。
【００２３】
【発明の効果】
この発明は以上のように構成したので、請求項１に係る発明は、ランプホルダーとスイッチ用ケースが一体になることにより、照光式押釦スイッチの構成が簡単となって製作コストを下げることができる上に、スイッチ用ケース内に取り付けた回路基板に設け、該スイッチ用ケースに設けた外部コネクター挿入用窓部より臨ませた外部接続用コネクターへ外部コネクターを接続するのみで、ワンタッチでランプとマイクロスイッチを電源へ接続することができるので、照光式押釦スイッチの組付作業が容易となることにより組付コストを大幅に下げることができるという効果を奏し得る。
【００２４】
また、請求項２〜３に係る発明は、ランプホルダーに対するランプケースの取り付けがより強固かつ簡単となり、使用に際しての押釦部材の押圧操作により、ランプケースがランプホルダーより容易に外れてしまうことがないという効果を奏し得る。
【図面の簡単な説明】
【図１】この発明に係る照光式押釦スイッチの正面図である。
【図２】図１に示した照光式押釦スイッチの蓋体を取って見た正面図である。
【図３】図１に示した照光式押釦スイッチの左側面図である。
【図４】図１に示した照光式押釦スイッチの一部縦断面図である。
【図５】図１に示した照光式押釦スイッチのスイッチ用ケースの部分の分解斜視図である。
【図６】この発明に係る照光式押釦スイッチの他の実施の形態を示す一部分解斜視図である。
【図７】図６に示した照光式押釦スイッチのランプケースの底面図である。
【図８】図６に示した照光式押釦スイッチのランプケースの一部断面図である。
【図９】この発明に係る照光式押釦スイッチのさらに他の実施の形態における一部断面図である。
【図１０】この発明に係る照光式押釦スイッチのさらに他の実施の形態におけるマイクロスイッチの部分の内部構造を示す説明図である。
【図１１】この発明に係る照光式押釦スイッチのさらに他の実施の形態を示す一部断面図である。
【図１２】従来の照光式押釦スイッチを説明する一部断面正面図である。
【図１３】図１２に示した従来の照光式押釦スイッチの一部断面左側面図である。
【符号の説明】
１０    ランプホルダー
１１    蓋体
１２    スイッチ用ケース
１２ｃ  外部コネクター挿入窓
１２ｅ  係止用鍔部
１３    回路基板
１４    マイクロスイッチ
１４ｂ  可動接点部
１５    マイクロスイッチ用端子
１６    ランプ用端子
１７    外部接続用コネクター
１８    外部コネクター
１９    リード線
２１    ランプケース
２１ａ  係合用周溝
２２    押釦部材
２２ａ  スイッチ押圧片
３０    ランプホルダー
３１    係止用突起
３２    ランプケース
３３    係合突片
３３ａ  係合凹部
４０    ランプホルダー
４０ａ  ランプ用端子
４０ｂ  ランプ用端子
４１    マイクロスイッチ
４１ａ  マイクロスイッチ用端子
４１ｂ  マイクロスイッチ用端子
４２    外部接続用コネクター
４４    外部コネクター
４５    ランプホルダー
４５ａ  ランプ用端子
４５ｂ  ランプ用端子
４６    スイッチ用ケース
４７    マイクロスイッチ
４７ａ  マイクロスイッチ用端子
４７ｂ  マイクロスイッチ用端子
４８    外部接続用コネクター
４９    外部コネクター
５０ａ  ランプ用端子
５０ｂ  ランプ用端子
５１    外部接続用コネクター
５２ａ  マイクロスイッチ用端子
５２ｂ  マイクロスイッチ用端子
５３    外部コネクター
【図１】
0003606314.tif 000002
【図２】
0003606314.tif 000003
【図３】
0003606314.tif 000004
【図４】
0003606314.tif 000005
【図５】
0003606314.tif 000006
【図６】
0003606314.tif 000007
【図７】
0003606314.tif 000008
【図８】
0003606314.tif 000009
【図９】
0003606314.tif 000010
【図１０】
0003606314.tif 000011
【図１１】
0003606314.tif 000012
【図１２】
0003606314.tif 000013
【図１３】
0003606314.tif 000014